(57)【特許請求の範囲】
【請求項１】
２つの半割体から成るハンドルの前端から前方向へ２枚の刃体が平行に延びる医療用ナイフであって、それぞれ刃体が前記半割体に恒久的に固定された２つの刃体付き半割体で構成され、それぞれの半割体は、その前部に、側壁と、その側壁の上縁から直角方向に延びる半割上壁と、側壁の下縁から直角方向に延びる半割下壁とを有し、刃体はそれぞれの側壁の内面に固定されており、
医療用ナイフは、前記２つの刃体付き半割体が結合されたものであり、結合された２つの半割体の半割上壁により上壁が構成されており、且つ半割下壁により下壁が構成されており、これらの上壁、下壁及び前記側壁でハンドルの前部に構成された周壁により、上下左右の四面が周壁に囲まれた空洞が前部に形成されており、該空洞は前方に開口を有し、前記それぞれの側壁の内面に固定された両刃体が開口から突出し、刃体の刃先の一部が下壁で覆われていることを特徴とする医療用ナイフ。
【請求項２】
それぞれの刃体付き半割体は、それらの側壁の内面に形成された刃体の位置決め突部に、刃体に形成された長孔が嵌合されており、且つその位置決め突部に設けた刃体固定用凸部がプレスして押し潰されることにより形成されたはみ出し部によって刃体が側壁の内面に固定されている請求項１記載の医療用ナイフ。
【請求項３】
２つの半割体から成るハンドルの前端から前方向へ２枚の刃体が平行に延びる医療用ナイフの製造方法であって、
それぞれ刃体が前記半割体に恒久的に固定された２つの刃体付き半割体で構成され、それぞれの半割体は、その前部に、側壁と、その側壁の上縁から直角方向に延びる半割上壁と、側壁の下縁から直角方向に延びる半割下壁とを有し、刃体はそれぞれの側壁の内面に固定されており、
医療用ナイフは、前記２つの刃体付き半割体が結合されたものであり、結合された２つの半割体の半割上壁により上壁が構成されており、且つ半割下壁により下壁が構成されており、これらの上壁、下壁及び前記側壁でハンドルの前部に構成された周壁により、上下左右の四面が周壁に囲まれた空洞が前部に形成されており、該空洞は前方に開口を有し、前記それぞれの側壁の内面に固定された両刃体が開口から突出し、刃体の刃先の一部が下壁で覆われている医療用ナイフの製造方法であって、
熱可塑性樹脂を用いて射出成型により刃体固定用凸部が設けられた位置決め突部を側壁に有する半割体を一体成型し、次いで位置決め突部に刃体の長孔を嵌合し、刃体固定用凸部をプレスして押し潰して幅方向へのはみ出し部を形成することにより、刃体を半割体に固定して刃体付き半割体とし、次いでその刃体付き半割体同士を結合することを特徴とする医療用ナイフの製造方法。
【発明の詳細な説明】
【技術分野】
【０００１】
本発明は、ハンドルの前部に２枚の刃体が間隔を開けて平行に取り付けられた医療用ナイフに関する。
【背景技術】
【０００２】
２枚の刃体が間隔を開けて平行に取り付けられた２枚刃医療用ナイフは、主に、組織を所定の幅に切るのに使用されるナイフで、例えば、膝の前十字靭帯再建手術に使用され、刃体の間隔を維持したまま膝蓋腱を切り離したり、脛骨プラグや膝蓋骨プラグを採取するときにそれらの骨に切込みを入れたり、あるいは組織を所定の幅で採取するため等に使用される医療用ナイフである。
【０００３】
このような２枚刃医療用ナイフは、例えば特許文献１に記載されている。この医療用ナイフは、２枚の刃体がハンドルの前側に突出する両延長部１１にそれぞれ固定されている。また、両延長部の後半部に背部１７すなわち上壁が形成されているが、背部に対向する下壁は形成されていない。すなわち、ハンドルの前端に刃体が固定されるべき一対の側壁を含む周壁で囲まれた空洞を有していない。したがって、取り付けられている刃体の下縁を覆うための下壁が存在せず、刃先は全長に亘って露出している。
【０００４】
前述した２枚刃医療用ナイフは、刃体がハンドルに恒久的に固定された使い捨てナイフであるが、このナイフのための専用の刃体は存在せず、例えば特開平９−７５３６３号公報に記載されているような替刃式の１枚刃医療用メスの替刃を使用している。この替刃は、特開平９−７５３６３号公報の図５に記載されているように、鋭利な刃先が、刃体の前端から刃体の全長の半分をやや超える位置まで形成されている。刃先がこの位置まで形成されているのは、１枚刃替刃式医療用メスを使用するときには、刃先がその前端寄りの部分のみならず刃体の中央付近に至る部分まで使用されるからである。これに対して２枚刃医療用ナイフは、前述したように膝蓋腱を切り離したり骨に切込みを入れたりするために使用されるので、比較的刃先の前端寄りの部分が使用される。したがって、本発明の２枚刃医療用ナイフでは、特許文献１のように刃先のほぼ全長を露出させる必要はなく、例えば刃先の前半部、すなわち刃先を長手方向の直線に投影した長さの半分程度露出させれば足りるのである。このようにすれば、不要な刃先は露出しないので、刃先で指などを傷付ける可能性を減じることができる。
【先行技術文献】
【特許文献】
【０００５】
【特許文献１】米国特許第５１００３９１号明細書
【特許文献２】特開平９−７５３６３号公報
【発明の概要】
【発明が解決しようとする課題】
【０００６】
本発明は、２枚の刃体がハンドルに固定された２枚刃医療用ナイフであって、刃先の前端部を含む一部、好ましくは刃先を長手方向の直線に投影した長さの半分前後露出させた２枚刃医療用ナイフを提供することを目的とする。
【課題を解決するための手段】
【０００７】
請求項１記載の発明は、２つの半割体から成るハンドルの前端から前方向へ２枚の刃体が平行に延びる医療用ナイフであって、それぞれ刃体が前記半割体に恒久的に固定された２つの刃体付き半割体で構成され、それぞれの半割体は、その前部に、側壁と、その側壁の上縁から直角方向に延びる半割上壁と、側壁の下縁から直角方向に延びる半割下壁とを有し、刃体はそれぞれの側壁の内面に固定されており、医療用ナイフは、前記２つの刃体付き半割体が結合されたものであり、結合された２つの半割体の半割上壁により上壁が構成されており、且つ半割下壁により下壁が構成されており、これらの上壁、下壁及び前記側壁でハンドルの前部に構成された周壁により、上下左右の四面が周壁に囲まれた空洞が前部に形成されており、該空洞は前方に開口を有し、前記それぞれの側壁の内面に固定された両刃体が開口から突出し、刃体の刃先の一部が下壁で覆われている構成である。
【０００８】
請求項２記載の発明は、それぞれの刃体付き半割体は、それらの側壁の内面に形成された刃体の位置決め突部に、刃体に形成された長孔が嵌合されており、且つその位置決め突部に設けた刃体固定用凸部がプレスして押し潰されることにより形成されたはみ出し部によって刃体が側壁の内面に固定されている構成である。
【０００９】
請求項３記載の発明は、２つの半割体から成るハンドルの前端から前方向へ２枚の刃体が平行に延びる医療用ナイフの製造方法であって、それぞれ刃体が前記半割体に恒久的に固定された２つの刃体付き半割体で構成され、それぞれの半割体は、その前部に、側壁と、その側壁の上縁から直角方向に延びる半割上壁と、側壁の下縁から直角方向に延びる半割下壁とを有し、刃体はそれぞれの側壁の内面に固定されており、医療用ナイフは、前記２つの刃体付き半割体が結合されたものであり、結合された２つの半割体の半割上壁により上壁が構成されており、且つ半割下壁により下壁が構成されており、これらの上壁、下壁及び前記側壁でハンドルの前部に構成された周壁により、上下左右の四面が周壁に囲まれた空洞が前部に形成されており、該空洞は前方に開口を有し、前記それぞれの側壁の内面に固定された両刃体が開口から突出し、刃体の刃先の一部が下壁で覆われている医療用ナイフの製造方法であって、熱可塑性樹脂を用いて射出成型により刃体固定用凸部が設けられた位置決め突部を側壁に有する半割体を一体成型し、次いで位置決め突部に刃体の長孔を嵌合し、刃体固定用凸部をプレスして押し潰して幅方向へのはみ出し部を形成することにより、刃体を半割体に固定して刃体付き半割体とし、次いでその刃体付き半割体同士を結合する構成である。
【発明の効果】
【００１０】
前述したように、本発明のナイフのための専用の刃体は特に存在せず、主に、替刃式の１枚刃医療用メスの替刃が使用される。しかし、本発明の２枚刃医療用ナイフにとって、この替刃は鋭利な刃先が必要以上に長く形成されており、指を傷付ける可能性を減じるために露出する刃先の長さを、使用に支障を生じない範囲で短くすることが好ましい。請求項１記載の発明は、ハンドルの前部に空洞が形成され、この空洞は周壁に囲まれて前方に開口を有し、その周壁は上壁、下壁及び対向する一対の側壁を含み、２枚の刃体が、それらの側壁の内面にそれぞれ固定され、開口から突出している構成であるので、刃体の一部が周壁で囲まれている。これにより、必要以上に長い刃先を有する刃体を使用したときに、刃先の露出を短くすることができる。例えば、替刃式の１枚刃医療用メスの替刃を本発明の二枚刃医療用ナイフに使用したときに、二枚刃医療用ナイフにとって必要以上に長い刃先を有する一枚刃医療用メスの替刃を、二枚刃医療用ナイフに適した長さの刃先を有するものとして使用することができる。このようにして、露出する刃先の長さを短くすることにより、手術時において指を傷付ける可能性を減じることができる。さらに、２枚の刃体が、側壁の内面にそれぞれ固定されているので、使用時に指先を側壁の外面に当てたときに、指先が刃体に触れることがなく安全であり、側壁の外面に刃体を固定するための突部などが突出しないので、使用時に指が邪魔されない。
【００１１】
特許文献１に記載された２枚刃医療用ナイフは、半割のハンドル部品を結合したものでなく、射出成型により一体に成型されている。本発明のように前部に開口を有するハンドルを射出成型により一体に成型することは、離型工程で困難な場合がある。そこで、特許文献１のハンドルは前部空洞の上下左右の四面全部が周壁で囲まれておらず、底面が開放されて、刃体の下縁を全長に亘って露出させる構成としている。射出成型により一体に成型されたハンドルに空洞を設けるために、成型後にハンドルの前端から空洞を切削することもできるが、手間がかかるのでこの方法も実際には使用しにくい。さらに、空洞を設けることなく刃体の刃先の一部を覆うために、インサート成型により刃体を取り付けることも考えられるが、この場合、刃体を覆う部分が肉厚となるために、成型時にその部分が収縮を起こし，表面にヒケと呼ばれる窪みを生じたり，肉厚部の中心部には気泡が生じたりするので、実際には採用しにくい。これに対して、請求項１記載の発明は、ハンドルが２つの半割体を結合することにより構成されており、それぞれの半割体に一つの側壁並びに半割の上壁及び下壁が形成されている。したがって、半割体には周壁で囲まれた空洞が存在しないので、射出成型により各半割体を容易に成型することができ、両半割体を結合するだけで空洞を有するハンドルを容易に製造することができる。
【００１２】
前述したように、本発明に使用される刃体は、主に替刃式の１枚刃医療用メスの替刃である。この替刃には長孔が形成されていて、その長孔を利用して１枚刃医療用メスのハンドルに着脱可能に取り付けることができる。すなわち、長孔を有する刃体が固定されるべき側壁に長孔に嵌合する凸部が形成され、その凸部は刃体の厚みよりも高く形成されており、刃体の長孔から突出した凸部の突出部分を押し潰し成形加工して幅方向へのはみ出し部を形成することにより、刃体が側壁に固定される構成である。ハンドルの半割体の側壁に形成された凸部に刃体の長孔を嵌合し、次いで凸部を押し潰し成形加工して幅方向へのはみ出し部を形成することにより刃体を固定することができる。したがって、非常に簡単な工程によって、ハンドルの側壁の内面に刃体を固定することができる。
【００１３】
ハンドルを半割にせず一体に成型するときは、上下左右四面を周壁で囲まれた空洞から金型を抜くことが困難な場合があり成型しにくいという欠点がある。請求項３記載の発明のように、ハンドルを２つのハンドル部品に分けて、あとから結合する方法であれば、全周を周壁で囲まれた空洞を形成する必要がなく、それぞれのハンドル部品に、周壁を構成する周壁構成部を形成してそれぞれのハンドル部品に空洞の半分を形成し、ハンドル部品を結合するときに、２つの周壁構成部が合わさることによりそれぞれの半分の空洞が結合して周壁で囲まれた空洞が形成される。したがって、上下左右の四面が周壁で囲まれた空洞を成型するために、空洞から金型を抜く工程を含まないので成型が容易である。また、両ハンドル部品を結合してハンドルの前部に空洞を形成してから、そのあと空洞内に刃体を固定する方法を採用する場合には、周壁に囲まれた空洞内での作業空間に余裕がなく刃体を固定する作業が困難である。本発明では、結合前のハンドル部品の周壁構成部に刃体を固定するので作業空間に大きな余裕があり、機械を使用して刃体を容易に固定することができる。
【図面の簡単な説明】
【００１４】
【図１】図１は本発明の側面図である。
【図２】図２は本発明の上面図である。
【図３】図３は図１におけるＡ−Ａ拡大断面図である。
【図４】図４は図１におけるＢ−Ｂ断面図である。
【図５】図５はハンドルの一方の半割体の斜視図である。
【図６】図６はハンドルの他方の半割体の斜視図である。
【図７】図７は一方の半割体に刃体を嵌合した状態を示す半割体の内面図である。
【図８】図８は図７の状態から凸部を押し潰し成形して刃体を固定した状態を示す半割体の内面図である。
【発明を実施するための形態】
【００１５】
以下、本発明の実施形態について、図面を参照しながら説明する。本発明のナイフ１は、細長いハンドル２の前端に２枚の刃体３，３が平行に突出するように固定されている。図１に示ように、水平に置かれたハンドル２の側面視で長手方向に延びる中心線すなわちＢ−Ｂ線に関し、ハンドル２の外形が上下対称に形成されている。ハンドル２の上面の前端付近に指置き凹面４が形成され下面に指置き凹面５が形成されている。
【００１６】
ハンドル２は一体成型で形成されたものでなく、２つの半割体６，７をそれぞれ別々に一体成型し、それらを結合して形成されている。図５に示すように、一方の半割体６は、その側壁８の縁部から半割上壁９、半割下壁１０及び半割後壁１１が連続するように立ち上がっている。側壁８と半割上壁９及び半割下壁１０は半割体６のほぼ全長に亘って延びており、これにより半割体６には長手方向に延びる溝４５が形成される。連続する半割上壁９、半割下壁１０及び半割後壁１１の内面には段差面１２が延在し、その段差面１２に所定の数の嵌合凹部１３が所定の位置に形成されている。側壁８の内面には長手方向に延びる中心線に沿って５つの嵌合突起１４，１５，１６，１７，１８が形成されており、嵌合突起１４，１６，１８の端面には嵌合穴１９，２０，２１が形成され、嵌合突起１５，１７の端面には嵌合凸部２２，２３が形成されている。さらに、側壁８の前部内面には刃体３の位置決め突部２４が形成されている。この位置決め突部２４は長手方向に延びており、その両端に、刃体固定用凸部２５，２６が形成されている。この、刃体固定用凸部２５，２６は、一方の刃体固定用凸部２６について記載した図３に示すように、押し潰して幅方向へのはみ出し部５３を形成することにより刃体３を恒久的に固定するためのものである。刃体固定用凸部２５，２６は、幅方向へのはみ出し部５３を形成してそのはみ出し部５３で刃体３を押さえて固定する必要があるので、刃体３の厚みよりも高く形成されている。また、刃体固定用凸部２５，２６の間に延びる位置決め突部２４は、刃体固定用凸部２５，２６よりも低く形成され、刃体の厚み３と同じ又はそれよりわずかに高く形成される。
【００１７】
図６に示すように、他方の半割体７は、その側壁２７の縁部から半割上壁２８、半割下壁２９及び半割後壁３０が連続するように立ち上がっている。側壁２７と半割上壁２８及び半割下壁２９は半割体７のほぼ全長に亘って延びており、これにより半割体７には長手方向に延びる溝４６が形成される。連続する上壁２８、下壁２９及び後壁３０の外面には段差面３１が延在している。この段差面３１には凸部や凹部などは形成されていない。その代わりに、連続する半割上壁２８、半割下壁２９及び半割後壁３０の縁面には、一方の半割体６の段差面１２に形成された嵌合凹部１３に対応する位置に嵌合突部３２が形成されている。側壁２７の内面には長手方向に延びる中心線に沿って５つの嵌合突起３３，３４，３５，３６，３７が形成されており、嵌合突起３３，３５，３７の端面には嵌合凸部３８，３９，４０が形成され、組み立て時に一方の半割体６の嵌合穴１９，２０，２１に嵌合する。また、嵌合突起３４，３６の端面には嵌合穴４１，４２が形成され、組み立て時に一方の半割体６の嵌合凸部２２，２３に嵌合する。さらに、側壁２７の前部内面には刃体３の位置決め突部４３が形成されている。この位置決め突部４３の構成は、一方の位置決め突部２４と同一の構成であるため説明を省略する。
【００１８】
次に、一方の半割体６を例にとって刃体３を固定した半割体６の製造方法について説明する。半割体６は、ポリカーボネート樹脂などの熱可塑性樹脂を用いて図５に示す形状に射出成型により成形する。次いで、図７に示すように、刃体３の長孔４４に位置決め突部２４を嵌合させることにより、刃体３を位置決めした後、刃体３よりも突出している刃体固定用凸部２５，２６をプレスして押し潰すことにより、図８に示すように幅方向へのはみ出し部を形成してそのはみ出し部で刃体３を押さえて固定する。したがって、図８は刃体３が半割体６に恒久的に固定された状態である。他方の半割体７も同じ工程により刃体３が恒久的に固定される。
【００１９】
それぞれ刃体３が恒久的に固定された半割体６，７が製造された後に、それらを結合してハンドル２が製造される。したがって、半割体６，７はハンドル２を構成するハンドル部品と言うことができる。次に、半割体６，７を結合する方法について説明する。本発明は医療用具であるため、結合のために接着剤を使用せず、種々の嵌合構造によって両者を結合する。そこで、前述したように、一方の半割体６の側壁８の内面には長手方向に延びる中心線に沿って５つの嵌合突起１４，１５，１６，１７，１８が形成され、嵌合突起１４，１６，１８の端面には嵌合穴１９，２０，２１が形成され、嵌合突起１５，１７の端面には嵌合凸部２２，２３が形成されている。そして、他方の半割体７の側壁２７の内面には長手方向に延びる中心線に沿って５つの嵌合突起３３，３４，３５，３６，３７が形成され、嵌合突起３３，３５，３７の端面には嵌合凸部３８，３９，４０が形成され、双方の半割体６，７の結合時に一方の半割体６の嵌合穴１９，２０，２１に嵌合する。さらに、嵌合突起３４，３６の端面には嵌合穴４１，４２が形成され、結合時に一方の半割体６の嵌合凸部２２，２３に嵌合する。この嵌合構造はハンドル２の中心部は確実に結合できるが、両半割体６，７の合わせ目の結合が不十分であるから、そのために他の結合構造も設けられている。前述したように、一方の半割体６の段差面１２に所定の数の嵌合凹部１３が所定の位置に形成されている。また、他方の半割体７の連続する半割上壁２８、半割下壁２９及び半割後壁３０の縁面には、一方の半割体６の段差面１２に形成された嵌合凹部１３に対応する位置に嵌合突部３２が形成されている。したがって、両半割体６，７の結合時にこれらの嵌合凹部１３と嵌合突部３２を嵌合させて位置を合わせ、超音波溶着で嵌合凹部１３と嵌合突部３２を溶着し、半割体６，７の合わせ目を確実に結合するのである。
【００２０】
両半割体６，７を結合することにより、ハンドル２が完成し、図２に示すように、一方の半割体６の半割上壁９と他方の半割体７の半割上壁２８とにより上壁５０が構成され、図４に示すように、一方の半割体６の半割下壁１０と他方の半割体７の半割下壁２９とにより下壁５１が構成される。そして、両側壁８，２７と上壁５０と下壁５１とにより、ハンドル２の前部に刃体３，３を囲う周壁４７が構成される。そして、この周壁４７が空洞５２を上下左右の四面から囲っている。図１に示すように、ハンドル２の側面視で長手方向に延びる中心線に関し、ハンドル２の外形は上下対称に形成され、ハンドル２の前端部は三角形をなしている。そして、この三角形の下側の斜辺５４は直線状に形成されているから、腱などの切断時に切断深さによってはその斜辺５４が皮膚等の上を滑動してガイドとして作用する。
【００２１】
次に、本実施態様のサイズについて説明する。ハンドル２の全長は約１３５ｍｍであり、最大上下幅は約１３ｍｍであり、最大横幅は約１７ｍｍである。また、刃体３の全長は約４５ｍｍであり、刃体３の刃先４９を長手方向の直線に投影した長さは約２８ｍｍである。平行に延びる両刃体３，３の間隔は約８ｍｍである。刃体３，３の上縁及び下縁の一部は、周壁４７の上壁５０と下壁５１によって上下から覆われるのであるが、図２に示すように、半割上壁９と半割上壁２８で構成される上壁５０の端縁４８は一直線をなし、ここまで刃体３，３を上から覆っている。周壁４７の下壁５１も上壁５０と同じ長さで刃体３，３を下から覆っている。また、下壁５１は刃体３の刃先４９の位置まで届いてその刃先４９の一部も覆っている。周壁４７の上壁５０及び下壁５１が刃体３，３を覆う長さは約３０ｍｍである。したがって、周壁４７の上壁５０及び下壁５１は、刃体３の後端から刃体３の全長のほぼ６７％の部分を覆っている。このために、図８に示すように、指置き凹面４，５の位置は刃体３のほぼ中央の部分と重なっている。また、刃体３の刃先４９が形成されていない部分の長手方向長さは約１７ｍｍであるから、周壁４７の下壁５１は刃先４９を長手方向の直線に投影した長さの約１３ｍｍの部分を覆っている。すなわち、刃体３の刃先４９はその長手方向の直線に投影した長さの４６％が下壁５１で覆われている。サイズ等については以上の通りであるが、本発明がこれらの数値に限定されないことは勿論である。
【００２２】
本発明は前述した構成に基づいて種々の態様や数値をとることが可能である。例えば、周壁４７の上壁５０、下壁５１及び一対の側壁８，２７のすべてが、取り付けられている刃体３の後端から刃体の全長の４０％以上の部分を覆っていればよいが、５０％以上でもよく、６０％以上でもよいことは勿論であり、本実施形態のように６７％±８％程度であることが好ましい。半割体６，７は、合わせ目がハンドル２の中心を通る場合に限定されるものでなく、許容できる範囲で合わせ目がハンドル２の中心からずれるものであっても差し支えない。空洞５２は、本実施態様のようにハンドル２の全長に亘って延びるもののほか、刃体３を取り付けるために必要な最小限の長さのものであってもよい。刃体３の形状は、図７に示したものに限定されないことは勿論であり、使用可能ないかなる形状としてもよい。２つの刃体３，３の間隔は前述した８ｍｍに限定されるものでなく、例えば５〜１５ｍｍの範囲で１ｍｍごとに異なるナイフを用意してもよい。その場合、刃体３，３の間隔ごとにハンドル２の色彩を異なるものにすれば、ナイフの刃体３，３の間隔を瞬時に判別することができる。半割体６，７は恒久的に結合せずに、分解可能としてもよい。ハンドル２の表面には滑り止め防止用の多数の小突起や溝を設けてもよい。
【産業上の利用可能性】
【００２３】
刃先の一部が下壁に覆われた状態で空洞の開口から刃体を突出させることにより、替刃式の１枚刃医療用メスの替刃を本発明の二枚刃医療用ナイフに使用したときに、二枚刃医療用ナイフにとって必要以上に長い刃先を有する一枚刃医療用メスの替刃を、二枚刃医療用ナイフに適した長さの刃先を有するものとして使用することができる。
【符号の説明】
【００２４】
１  ナイフ、    ２  ハンドル、    ３  刃体、    ４  指置き凹面、    ５  指置き凹面、    ６  一方の半割体、    ７  他方の半割体、    ８  側壁、    ９  半割上壁、    １０  半割下壁、    １１  半割後壁、    １２  段差面、    １３  嵌合凹部、    １４  嵌合突起、    １５  嵌合突起、    １６  嵌合突起、    １７  嵌合突起、    １８  嵌合突起、    １９  嵌合穴、    ２０  嵌合穴、    ２１  嵌合穴、    ２２  嵌合凸部、    ２３  嵌合凸部、    ２４  位置決め突部、    ２５  刃体固定用凸部、    ２６  刃体固定用凸部、    ２７  側壁、    ２８  半割上壁、    ２９  半割下壁、    ３０  半割後壁、    ３１  段差面、    ３２  嵌合突部、    ３３  嵌合突起、    ３４  嵌合突起、    ３５  嵌合突起、    ３６  嵌合突起、    ３７  嵌合突起、    ３８  嵌合凸部、    ３９  嵌合凸部、    ４０  嵌合凸部、    ４１  嵌合穴、    ４２  嵌合穴、    ４３  位置決め突部、    ４４  刃体の長孔、    ４５  溝、    ４６  溝、    ４７  周壁、    ４８  上壁の端縁、    ４９  刃先、    ５０  周壁の上壁、    ５１  周壁の下壁、    ５２  空洞、    ５３  はみ出し部、    ５４  斜辺
【図１】
0006406661.tif 000002
【図２】
0006406661.tif 000003
【図３】
0006406661.tif 000004
【図４】
0006406661.tif 000005
【図５】
0006406661.tif 000006
【図６】
0006406661.tif 000007
【図７】
0006406661.tif 000008
【図８】
0006406661.tif 000009